(57)【特許請求の範囲】
【請求項１】
ガス器具内に敷設されたガス配管に火力調節装置を連結した状態で、火力調節装置の連結部分にガス配管を挟んで設けられた２個のねじ穴に対してねじ止めされることによって、ガス配管と火力調節装置とを相互に固定するガス配管用固定金具において、火力調節装置に対してねじ止めされる際に、上記ねじ穴の近傍に形成されたストッパ部をガス配管の長手方向に沿って両側から挟む移動防止部を有し、一方のねじ穴に対してネジを螺合する際に、他方のねじ穴側の端部が揺動しないようにしたものであって、上記移動防止部は、ガス配管の長手方向に対して直交する方向に折り曲げられた部分の先端に形成されたことを特徴とするガス配管用固定金具。
【発明の詳細な説明】
【技術分野】
【０００１】
本発明は、ガスコンロ装置内でガス配管と火力調節装置とを相互に固定するガス配管用固定金具に関する。
【背景技術】
【０００２】
ガスコンロ装置内には外部から導入したガスをガスコンロ装置内の各所に送るガス配管が敷設されている。例えば、ガスコンロ装置の前面パネルの裏側に３個の火力調節装置が配設されている場合には、ガスコンロ装置の下部に左右長手方向になるようにガス配管が敷設されており、そのガス配管上の所定位置にこれら３個の火力調節装置が並設される。
【０００３】
各火力調節装置を取り付ける位置にはガス配管の上面に開口が形成されており、火力調節装置の下面に下方に突出する筒状に形成されたガスの導入口が、ガス配管の開口に挿入されることによって、ガス配管への火力調節装置の連結が行われるように構成されている。ただし、その連結部分からガスが漏出しないように、導入口の外周にはＯリングが装着されており、かつ、ガス配管と火力調節装置とを密着させるため、火力調節装置との間にガス配管を挟み込むように固定金具が火力調節装置に対してねじ止めされている（例えば、特許文献１参照）。
【先行技術文献】
【特許文献】
【０００４】
【特許文献１】特開２００２−５４２７号公報（図１）
【発明の概要】
【発明が解決しようとする課題】
【０００５】
上記従来の固定金具は、長方形の板金の中央部分にガス配管をホールドする湾曲部が設けられているが、その湾曲部を挟んで両側に位置する部分は平板形状で有り、その平板形状の部分にねじ止め用の丸穴が形成されているだけなので、固定金具を火力調節装置に対して２本のネジでねじ止めする際、最初のネジを螺合させる際には固定金具が脱落しないように手で押さえておく必要があり、また、最初のネジを完全に締める際に固定金具が揺動し、残りのネジを締める際に他方の丸穴と火力調節装置側のねじ穴とが一致せず、固定金具を取り付ける作業が非常に煩わしくなるという不具合が生じる。
【０００６】
そこで本発明は、上記の問題点に鑑み、ねじ止め作業が容易に行うことのできるガス配管用固定金具を提供することを課題とする。
【課題を解決するための手段】
【０００７】
上記課題を解決するために本発明によるガス配管用固定金具は、ガス器具内に敷設されたガス配管に火力調節装置を連結した状態で、火力調節装置の連結部分にガス配管を挟んで設けられた２個のねじ穴に対してねじ止めされることによって、ガス配管と火力調節装置とを相互に固定するガス配管用固定金具において、火力調節装置に対してねじ止めされる際に、上記ねじ穴の近傍に形成されたストッパ部をガス配管の長手方向に沿って両側から挟む移動防止部を有し、一方のねじ穴に対してネジを螺合する際に、他方のねじ穴側の端部が揺動しないようにしたものであって、上記移動防止部は、ガス配管の長手方向に対して直交する方向に折り曲げられた部分の先端に形成されたことを特徴とする。
【０００８】
火力調節装置側にストッパ部を形成しておき、固定金具に形成した移動防止部でストッパ部を挟むことにより、最初にネジを締める際に固定具を手で押さえておく必要がなく、かつ、その最初のネジを締める際に固定金具が揺動しないので、残りのネジを連続して締めることができる。
【０００９】
なお、移動防止部を固定金具の一部を曲げて形成する場合に、曲げ角度がばらついたとしても、ガス配管の長手方向に対して直交する方向に折り曲げて形成するため、固定金具の揺動範囲がばらつくことがない。
【発明の効果】
【００１０】
以上の説明から明らかなように、本発明は、最初にネジを締める際に固定金具を手で押さえておく必要がなく、かつ、その最初のネジを締める際に固定金具が揺動しないので、残りのネジを連続して締めることができ、固定金具のねじ止め作業を容易にすることができる。
【図面の簡単な説明】
【００１１】
【図１】ガス配管に連結された状態の火力調節装置を示す斜視図
【図２】ガス管路の開口を示す図
【図３】倒置した状態で火力調節装置とガス配管とを連結する工程を示す図
【図４】火力調節装置の導入口の周囲の詳細を示す部分斜視図
【図５】固定金具の詳細を示す斜視図
【図６】参考例として示す固定金具の詳細を示す斜視図
【発明を実施するための形態】
【００１２】
図１を参照して、１はガスコンロ装置内に組み込まれた火力調節装置で有り、火力調節レバー１２を左右に揺動することにより、調節された量のガスをノズル１１から図外のガスバーナに噴出するものである。そのガスは、ガスコンロ装置内に敷設されたガス配管２から供給される。そのため、火力調節装置１とガス配管２とは相互に連結されており、その連結が外れないように固定金具３が用いられている。
【００１３】
図２を参照して、このガス配管２には火力調節装置１を連結する場所に開口２１が形成されており、この開口２１を通ってガスが火力調節装置１内に導入される。ガス配管２と火力調節装置１との連結作業は火力調節装置１を上下逆さまに倒置した状態で行われる。
【００１４】
図３を参照して、火力調節装置１の下部（本図においては火力調節装置１が倒置しているので上部）にはガスを火力調節装置１内に導入する筒状の導入口１４が設けられており、上記ガス管路２の開口２１にこの導入口１４が嵌合することによって火力調節装置１とガス配管２との連結が行われる。
【００１５】
この導入口１４を挟んで２個のねじ穴１３が設けられており、導入口１４が開口２１に挿入された状態で固定金具３をセットし、２本のネジ４をこれらねじ穴１３に各々螺合させることにより、火力調節装置１とガス配管２とが離れないように固定される。
【００１６】
図４および図５を参照して、火力調節装置１にはねじ穴１３の各々外側にストッパ部１５が形成されている。なお、５はガスの漏出を防止するためのＯリングである。また、固定金具３は長方形の金属板を板金加工により形成されたものであり、中央部分にガス配管２をホールドするためのアーチ状の湾曲部３２が形成されている。そして、この湾曲部３２を挟んで、上記ねじ穴１３に対応する位置にネジ４が挿通される丸穴３１が形成されている。
【００１７】
さらに、各丸穴３１の外側に各々１対の爪部３３からなる移動防止部が折り曲げられている。１対となる２個の爪部３３の間隔は、上記ストッパ部１５をガス配管２の長手方向に沿って両側から挟むことができる間隔に設定されている。従って、上記図３に示したように、火力調節装置１とガス配管２とを連結させた状態で固定金具３を取り付けると、２対の爪部３３が各々ストッパ部１５を挟むので、手を離しても固定金具３は安定しており落下することがない。なお、この状態で、両丸穴３１は各々ねじ穴１３に一致している。
【００１８】
そして、一方のねじ穴１３にネジ４を螺合させ、完全に締め付ける際に、ネジ４の頭の座面と固定金具３の上面との間の摩擦によって固定金具３が締め付け方向、すなわち右回りに揺動しようとしても、爪部３３がストッパ部１５に当接して固定金具３が揺動しない。そのため、残りのネジ４を他方のねじ穴１３に螺合させる際に、丸穴３１がねじ穴１３に一致した状態が保持されているので、固定金具３の姿勢を修正することなく、残りのネジ４を締め付けることができる。なお、図５に示すように、爪部３３を折り曲げる際に、ガス配管２の長手方向に対して直交する方向に折り曲げるようにした。この方向に折り曲げることにより、折り曲げ角度にばらつきが生じても、１対の爪部３３の間隔は変化しない。
【００１９】
次に参考例としての固定金具を図６に示す。このものでは、曲げ角度のばらつきが許容できる程度の微小範囲であれば、図６に示すように、爪部６３をガス配管の長手方向に沿う方向に折り曲げた固定金具６を、図５に示した本発明による固定金具３と同様に用いることも可能である。なお、丸穴６１及び湾曲部６２は上記丸穴３１及び湾曲部３２と同様のものである。
【００２０】
なお、本発明は上記した形態に限定されるものではなく、本発明の要旨を逸脱しない範囲内において種々の変更を加えてもかまわない。
【符号の説明】
【００２１】
１ 火力調節装置
２ ガス配管
３ 固定金具
４ ネジ
６ 固定金具（参考例）
１３ ねじ穴
１４ 導入口
１５ ストッパ部
３３ 爪部
６３ 爪部
【図１】
0006051455.tif 000002
【図２】
0006051455.tif 000003
【図３】
0006051455.tif 000004
【図４】
0006051455.tif 000005
【図５】
0006051455.tif 000006
【図６】
0006051455.tif 000007